(57)【要約】【課題】  文字盤の目盛部に光源からの光を満遍なく且つ均一に照射するとともにブルドン管の凍結防止が図れ、また、光源を容易に設置することができるとともに小型軽量化が図れるブルドン管式圧力計を得る。【解決手段】  流体が流入される円弧状のブルドン管１と、ブルドン管１内に流入する流体の圧力の変化によって生じるブルドン管１の変位に応じて指針２を回動させる指針駆動機構３と、ブルドン管１の前面側に配置された、透光性の目盛部４を円弧状に設けた文字盤５と、文字盤５を裏面側から照明する光源６とを備えたブルドン管式圧力計であって、光源６を複数のＬＥＤ２０を備えたテープ状ＬＥＤモジュール２１で構成し、このテープ状ＬＥＤモジュール２１をブルドン管１の近傍に、ブルドン管１に沿って配置した。【選択図】  図１
2014157065.tif 000002
【特許請求の範囲】
【請求項１】
流体が流入される円弧状のブルドン管と、ブルドン管内に流入する流体の圧力の変化によって生じる前記ブルドン管の変位に応じて指針を回動させる指針駆動機構と、前記ブルドン管の前面側に配置された、透光性の目盛部を円弧状に設けた文字盤と、前記文字盤を裏面側から照明する光源とを備えたブルドン管式圧力計であって、
前記光源は複数のＬＥＤを備えたテープ状ＬＥＤモジュールで構成され、該テープ状ＬＥＤモジュールが前記ブルドン管近傍に、前記ブルドン管に沿って配置されていることを特徴とするブルドン管式圧力計。
【発明の詳細な説明】
【技術分野】
【０００１】
本発明は、ブルドン管式圧力計に関し、特に文字盤を照明する光源を備えたブルドン管式圧力計に関するものである。
【背景技術】
【０００２】
一般にブルドン管式圧力計は、流体が流入される円弧状ブルドン管と、ブルドン管の変位に応じて指針を回動させる指針駆動機構と、表面に円弧状の目盛部を設けた文字盤とで構成され、ブルドン管内に流入する流体の圧力の変化によって生じるブルドン管の変位が指針駆動機構によって指針の動きに変換され、文字盤の目盛部でその流体の圧力を読み取るようになっている。
このようなブルドン管式圧力計には、夜間や暗所でも文字盤の目盛部を視認できるように、ケース内に文字盤を照明する電球やＬＥＤ等の光源を備えたブルドン管式圧力計があり、光源を備えたブルドン管式圧力計として、文字盤に透光性の目盛部を円弧状に設け、文字盤を裏面側から照明するようにしたブルドン管式圧力計が知られている（例えば、特許文献１参照。）。
【先行技術文献】
【特許文献】
【０００３】
【特許文献１】特開平８−４３１４３号公報
【発明の概要】
【発明が解決しようとする課題】
【０００４】
上記のように文字盤に投光性の目盛部を円弧状に設け、文字盤を裏面側から照明するようにしたブルドン管式圧力計にあって、文字盤に設けられた目盛部の視認を容易にするためには、文字盤に設けられた円弧状の目盛部全体に満遍なく且つ均一に光源の光を照射することが求められる。
従来、一般的なブルドン管式圧力計では、文字盤裏面には、円弧状のブルドン管と、ブルドン管の変位に応じて指針を回動させる指針駆動機構が配置されており、文字盤裏面近傍の中央に光源を設けるスペースが無いため、文字盤を照明する光源を指針駆動機構の後側に設けている。そのため、光源と文字盤との間にある指針駆動機構によって光源の光が遮られ、文字盤の目盛部に影ができてしまい、その部分が視認し難くなってしまうといった問題があった。このような問題を解消するものとして、文字盤の裏面近傍に光を分散させるプリズムレンズ等を設け、文字盤の目盛部全体に明かりが届くように工夫されているものもあるが、それでも文字盤の目盛部全体に光を均一に照射することは難しく、また、部品点数の増加に伴うコストアップ、大型化等の問題が生じてしまう。
【０００５】
また、上記のブルドン管式圧力計では、寒冷地においてブルドン管の凍結による計測不良やブルドン管の破損といった問題が生じるおそれがあるが、従来のブルドン管式圧力計においては、ブルドン管の凍結に対して何ら配慮されていない。
【０００６】
本発明の目的は、文字盤の目盛部に光源からの光を満遍なく且つ均一に照射するとともにブルドン管の凍結防止が図れ、また、光源を容易に設置することができるとともに小型軽量化が図れるブルドン管式圧力計を提供することにある。
【課題を解決するための手段】
【０００７】
上記の目的を達成するために、請求項１に記載の発明は、流体が流入される円弧状のブルドン管と、ブルドン管内に流入する流体の圧力の変化によって生じる前記ブルドン管の変位に応じて指針を回動させる指針駆動機構と、前記ブルドン管の前面側に配置された、透光性の目盛部を円弧状に設けた文字盤と、前記文字盤を裏面側から照明する光源とを備えたブルドン管式圧力計であって、前記光源は複数のＬＥＤを備えたテープ状ＬＥＤモジュールで構成され、該テープ状ＬＥＤモジュールが前記ブルドン管近傍に、前記ブルドン管に沿って配置されていることを特徴としている。
【発明の効果】
【０００８】
本発明に係るブルドン管式圧力計によれば、前記光源は複数のＬＥＤを備えたテープ状ＬＥＤモジュールで構成され、該テープ状ＬＥＤモジュールが前記ブルドン管近傍に、前記ブルドン管に沿って配置されているので、文字盤の目盛部全体に光を均一に照射することができる。また、ブルドン管に沿ってテープ状ＬＥＤモジュールが配置されているので、ＬＥＤの発熱によりブルドン管が温められるため、特別に凍結防止手段を設けることなく、ブルドン管の凍結を防止することができる。
また、光源が複数のＬＥＤを備えたテープ状ＬＥＤモジュールで構成されているので、狭いスペースに容易に取り付けることができ、従来のプリズムレンズ等を設け光を分散させるブルドン管式圧力計に比べ、小型軽量化とコストダウンを図ることができる。
【図面の簡単な説明】
【０００９】
【図１】本発明に係るブルドン管式圧力計の一例を示す正面図である。
【図２】本例のブルドン管式圧力計の内部を示す一部切欠正面図である。
【図３】本例のブルドン管式圧力計の内部を示す一部省略断面図である。
【図４】裏面に光源を取り付けた文字盤の一例を示す斜視図である。
【図５】文字盤と光源とブルドン管との位置関係を示す一部省略説明図である。
【発明を実施するための形態】
【００１０】
以下、本発明に係るブルドン管式圧力計を実施するための形態を、図面に示す実施例を参照して詳細に説明する。
先ず、本発明に係るブルドン管式圧力計の実施の形態の一例を説明する。図１は本発明に係るブルドン管式圧力計の一例を示す正面図、図２は本例のブルドン管式圧力計の内部を示す一部切欠正面図、図３は本例のブルドン管式圧力計の内部を示す断面図、図４は本例の文字盤の一例を示す斜視図、図５は本例の光源とブルドン管との位置関係を示す一部省略説明図である。
【００１１】
本例におけるブルドン管式圧力計は、流体が流入される円環状のブルドン管１と、ブルドン管１内に流入する流体の圧力の変化によって生じるブルドン管１の変位に応じて指針２を回動させる指針駆動機構３と、ブルドン管１の前面側に配置された、透光性の目盛部４を円弧状に設けた文字盤５と、文字盤５を裏面側から照明する光源６とが、前面に透明なガラス板７を配置した円筒状のケース８内に収容されている。
【００１２】
ブルドン管１は、断面が楕円形または扁平形の管で、管は円弧状に湾曲している。円弧状はＣ字型、スパイラル型、ヘリカル型を含むものであって、本例では、Ｃ字型のブルドン管１が用いられている。円環状に曲げられたＣ字型のブルドン管１は、一端が閉塞し、他端が開放されており、閉塞する一端に指針駆動機構３が設けられ、開放する他端にブルドン管１内に流体を導入する導入管９が接続されている。
【００１３】
指針駆動機構３は、ブルドン管１の一端に固定される連結片１０と、一端が連結ピン１１により連結片１０と連結されるリンク節１２と、ケース８に支持軸１３を介して回転自在に支持され、連結ピン１４により一端がリンク節１２の他端と連結し、他端には扇状のラックギア１５が形成されたレバー１６と、指針２が取り付けられた回転軸１７に設けられレバー１６のラックギア１５と噛み合うピニオンギア１８とを備えている。
【００１４】
このように構成された指針駆動機構３は、ブルドン管１内に導入される流体の圧力が変化すると、流体の圧力の変化によりブルドン管１が変位し、ブルドン管１の変位に応じてブルドン管１の一端に固定された連結片１０が移動し、この連結片１０の移動がリンク節１２を介してレバー１６に伝達され、レバー１６は支持軸１３を中心に回動し、レバー１６の回動によりレバー１６のラックギア１５と噛み合うピニオンギア１８を介して回転軸１７が回転し、回転軸１７に取り付けられた指針２が回動する。
【００１５】
文字盤５は、透光性の目盛部４が円弧状に設けられている。円弧状の目盛部４は、文字盤５の裏面側に配置されている円弧状のブルドン管１とほぼ同一径の大きさとなっており、図１に示すように、正面視で目盛部４とブルドン管１とが重なるように配置されている。
【００１６】
文字盤５を裏面側から照明する光源６は、合成樹脂製のテープ状基材１９に複数のＬＥＤ２０をテープ状基材１９の長手方向に備えたテープ状ＬＥＤモジュール２１で構成され、テープ状ＬＥＤモジュール２１がブルドン管１の近傍に、ブルドン管１に沿って配置されている。本例では、図４に示すように、文字盤５の裏面に、Ｃ字状の支持枠２２が文字盤５の目盛部４及び文字盤５の裏面に配置されているブルドン管１の外周側で、目盛部４及びブルドン管１に沿って立設されており、支持枠２２の内周面にテープ状ＬＥＤモジュール２１が貼着その他の固定手段により取り付けられている。テープ状ＬＥＤモジュール２１には、ＬＥＤ２０に電気を供給するための配線用ケーブル（図示省略）が接続されている。
【００１７】
なお、本例では、文字盤５の裏面に支持枠２２を立設し、支持枠２２の内周面にテープ状ＬＥＤモジュール２１を取り付けているが、円筒状のケース８の内面に、文字盤５の目盛部４及びブルドン管１に沿ってテープ状ＬＥＤモジュール２１を取り付けるようにしてもよい。
【００１８】
このような構成からなる本例のブルドン管式圧力計によれば、  文字盤５に円弧状に設けられている透光性の目盛部４は円弧状のブルドン管１とほぼ同一径の大きさとなっており、文字盤５は、目盛り部４が裏面側に配置されている円弧状のブルドン管１と重なるように配置されており、文字盤５の裏面には、Ｃ字状の支持枠２２が文字盤５の目盛部４及び文字盤５の裏面に配置されているブルドン管１の外周側で、目盛部４及びブルドン管１に沿って立設されており、支持枠２２の内周面に光源６となるテープ状ＬＥＤモジュール２１が取り付けられているので、ＬＥＤ２０を点灯することにより、文字盤５の目盛部４の全体に光を均一に照射することができ、また、ＬＥＤ２０の発熱によりブルドン管１を温めることができる。
【００１９】
また、光源６が合成樹脂製のテープ状基材１９に複数のＬＥＤ２０をテープ状基材１９の長手方向に備えたテープ状ＬＥＤモジュール２１で構成されているので、取付作業が容易であり、また、狭いスペースに容易に取り付けることができ、従来のプリズムレンズ等を設け光を分散させるブルドン管式圧力計に比べ、小型軽量化とコストダウンが図れる。
【符号の説明】
【００２０】
１  ブルドン管
２  指針
３  指針駆動機構
４  目盛部
５  文字盤
６  光源
７  ガラス板
８  ケース
９  導入管
１０  連結片
１１  連結ピン
１２  リンク節
１３  支持軸
１４  連結ピン
１５  ラックギア
１６  レバー
１７  回転軸
１８  ピニオンギア
１９  テープ状基材
２０  ＬＥＤ
２１  テープ状ＬＥＤモジュール
２２  支持枠
【図１】
2014157065.tif 000003
【図２】
2014157065.tif 000004
【図３】
2014157065.tif 000005
【図４】
2014157065.tif 000006
【図５】
2014157065.tif 000007